(57)【特許請求の範囲】
【請求項１】
目地部を介して設けられた左右の躯体と、該左右の躯体の一方の躯体から他方の躯体側へ突出する渡り通路と、一端部が該渡り通路に左右方向にスライド移動可能に支持されるとともに、他端部が前記他方の躯体に前後方向にスライド移動可能に支持され、前記渡り通路と前記他方の躯体間の目地部を塞ぐ目地部材からなる渡り通路用目地装置であって、前記渡り通路は、一対の手摺と、この手摺の下端部付近に設けられた庇部を有し、前記目地部材は、目地プレートと、該目地プレートの両側部に取り付けられ、前記目地プレートが位置する部位の前記渡り通路の手摺、庇部及び底面を覆うカバー部材と、該カバー部材に設けられ、カバー部材内の雨水を排出する雨水排出部とよりなることを特徴とする渡り通路用目地装置。
【請求項２】
前記カバー部材は、前記一対の手摺を入れ子状にカバーすることを特徴とする請求項１記載の渡り通路用目地装置。
【請求項３】
前記カバー部材は、前記庇の上面に設けられたローラーに支持されているとともに、前記渡り通路の底面に設けられた吊り下げローラーによって吊り下げ支持されていることを特徴とする請求項１記載又は請求項２のいずれかに記載の渡り通路用目地装置。
【請求項４】
前記一方の躯体から他方の躯体側へ突出する渡り通路が上下方向に同じ位置に複数設けられ、前記渡り通路と前記他方の躯体間の目地部をそれぞれ前記目地部材が塞いでいることを特徴とする請求項１乃至請求項３のいずれかに記載の渡り通路用目地装置。
【請求項５】
前記渡り通路には少なくとも１つの水切り部が形成されていることを特徴とする請求項１乃至請求項４のいずれかに記載の渡り通路用目地装置。
【請求項６】
前記雨水排出部には雨樋が連結されていることを特徴とする請求項１乃至請求項５のいずれかに記載の渡り通路用目地装置。
【発明の詳細な説明】
【技術分野】
【０００１】
本発明は左右の躯体間の目地部を塞ぐ渡り通路用目地装置に関する。
【背景技術】
【０００２】
従来、この種の渡り通路用目地装置としては、「上部階に設けられた外部渡り通路の真下に下部階の下部外部渡り通路が設けられた左右の建物において、前記外部渡り通路を前記左右の建物の一方の建物より他方の建物方向に突出し、かつ該他方の建物との間に目地部を有するように設けられた外部渡り通路本体と、この外部渡り通路本体の先端部の床面に、先端部が左右方向にだけスライド移動でき、後端部が前記他方の建物の外側通路の目地部側床躯体に前後方向にスライド移動できるように取付けられた床目地プレートと、この床目地プレートの両側部に固定された前記下部外部渡り通路へ雨水が落下するのを阻止する一対の庇と、前記床目地プレートの後端両側部あるいは該部と一体になって移動する部材に一端部が固定され、他端部が該床目地プレートの先端部寄りの両側部に固定あるいは前記外部渡り通路本体の側壁にスライド移動できるように取付けられた一対の手摺と、前記床目地プレートの後端両側部の他方の建物の外側通路の目地部側床躯体に設けられた外壁あるいは手摺とで構成したことを特徴とする外部渡り通路。」が知られている（特許文献１参照）。
【０００３】
しかしながら、このような外部渡り通路は、庇によって雨が直接渡り通路内へ進入することは多少防止できるものであるが、目地プレートとカバープレートの隙間から雨水が目地プレート底面側へ侵入し、外部渡り通路本体の突出端部から階下の渡り通路へ雨水が落下してしまうという欠点があった。
【先行技術文献】
【特許文献】
【０００４】
【特許文献１】特許第５７２７４４１号公報
【発明の概要】
【発明が解決しようとする課題】
【０００５】
本発明は以上のような従来の欠点に鑑み、渡り通路の下方の通路等に雨が直接進入することを防止できるとともに、渡り通路の真下へ雨水が落下することを防止できる床用目地装置を提供することを目的としている。
【０００６】
本発明の前記ならびにそのほかの目的と新規な特徴は次の説明を添付図面と照らし合わせて読むと、より完全に明らかになるであろう。
ただし、図面はもっぱら解説のためのものであって、本発明の技術的範囲を限定するものではない。
【課題を解決するための手段】
【０００７】
上記目的を達成するために、本発明の渡り通路用目地装置は、目地部を介して設けられた左右の躯体と、該左右の躯体の一方の躯体から他方の躯体側へ突出する渡り通路と、一端部が該渡り通路に左右方向にスライド移動可能に支持されるとともに、他端部が前記他方の躯体に前後方向にスライド移動可能に支持され、前記渡り通路と前記他方の躯体間の目地部を塞ぐ目地部材からなる渡り通路用目地装置であって、前記渡り通路には外方へ突出する庇部が形成されており、前記目地部材は、目地プレートと、該目地プレートが位置する部位の前記渡り通路の手摺、庇部及び底面を覆うカバー部材と、該カバー部材に形成され、カバー部材内の雨水を誘導し排出する雨水排出部とよりなることを特徴とする。
【発明の効果】
【０００８】
以上の説明から明らかなように、本発明にあっては次に列挙する効果が得られる。
（１）請求項１及び請求項２に記載された各発明においては、目地プレートと、該目地プレートが位置する部位の前記渡り通路の手摺、庇部及び底面を覆うカバー部材と、該カバー部材に形成され、カバー部材内の水を誘導し排出する雨水排出部を備える目地部材を用いているので、渡り通路の全周を目地部材でカバーすることができる。
したがって、渡り通路の突出端部から雨水が落ちることがなく、渡り通路の真下へ雨水が落下することを防止できる。
（２）渡り通路には外方へ突出する庇部が形成されており、カバー部材はこの庇部も覆う形状となっているので、雨を庇部等で受けることができるので、渡り通路下方の通路等に雨が直接進入することを防止できる。
（３）請求項３に記載された発明においても前記（１）、（２）と同様な効果が得られるとともに、ローラー及び吊り下げローラーによってカバー部材を支持しているので、カバー部材の重量等が目地プレートと渡り通路の接地面やカバー部材と手摺の接地面にかからないため、目地部材が左右方向にスライド移動する際に、スムーズにスライド移動することができる。
（３）請求項４に記載された発明においても前記（１）〜（３）と同様な効果が得られるとともに、上下階に渡り通路を有する建物でも利用することができる。
（４）請求項５に記載された発明においても前記（１）〜（４）と同様な効果が得られるとともに、より効率よく雨水を排出することができる。
（５）請求項６に記載された発明においても前記（１）〜（５）と同様な効果が得られるとともに、渡り通路の下部に雨水が落下することを確実に防止することができる。
【図面の簡単な説明】
【０００９】
図１乃至図９は本発明の第１の実施形態を示す説明図である。
図１０乃至図１２は本発明の第２の実施形態を示す説明図である。
図１３乃至図１４は本発明の第３の実施形態を示す説明図である。
【図１】第１の実施形態の渡り通路用目地装置の正面図。
【図２】第１の実施形態の渡り通路用目地装置の平面図。
【図３】図２の３−３線に沿う断面図。
【図４】図２の４−４線に沿う断面図。
【図５】渡り通路の説明図。
【図６】目地部材の説明図。
【図７】地震で目地部が狭くなった状態の動作説明図。
【図８】地震で目地部が広くなった状態の動作説明図。
【図９】地震で左右の躯体が異なる前後方向に揺れ動いた状態の動作説明図。
【図１０】第２の実施形態の渡り通路用目地装置の平面図。
【図１１】図１０の１１−１１線に沿う断面図。
【図１２】渡り通路の説明図。
【図１３】第３の実施形態の渡り通路用目地装置の平面図。
【図１４】図１３の１４−１４線に沿う断面図。
【発明を実施するための形態】
【００１０】
以下、図面に示す本発明を実施するための形態により、本発明を詳細に説明する。なお、本明細書では図１を基準として左右方向、上（図面上方）下（図面下方）方向という。また、図２を基準として前（図面上方）後（図面下方）方向という。
本発明において躯体とは、建物、道路、スラブ、エレベーターシャフト等の目地プレートを目地部に設置可能な建造物をいい、出入口とは扉の設けられた出入口だけではなく、人や車両等が通行できる通路も含むものである。
【００１１】
図１ないし図９に示す本発明を実施するための第１の形態において、１は左右の躯体３、４の間の目地部２を塞ぐ渡り通路用目地装置である。
【００１２】
この渡り通路用目地装置１は、図１乃至図４に示すように、前記一方の躯体３の上下階にそれぞれ略水平状態で配設された複数の渡り通路５に、その一端部６ａがそれぞれ左右方向にスライド移動可能に支持されるとともに、他端部６ｂが前記他方の躯体４にそれぞれ前後方向にスライド移動可能に支持された上限の目地部材６によって、各目地部２を塞いでいる。
【００１３】
前記渡り通路５は、前述したように一方の躯体３から他方の躯体４側へ突出しており、図５に示すように、断面形状が上面開口のコ字型形状で、両側の略垂直状態に立ち上がっている部分が一対の手摺５ａとなっている。この一対の手摺５ａの下端部には、それぞれが外方に突出する庇部７が略水平状態で設けられ、本実施の形態においては、前記手摺５ａと庇部７は全体として逆さテーブル形状の外観を有している。この庇部７は横殴りの雨を受け、渡り通路の下部に位置する通路等、本実施の形態においては下階の渡り通路５に雨水が直接進入することを防止するものである。
【００１４】
ここで図５を基準にすると、左右の庇部７は、その上面がそれぞれ樋状の凹所になっており、これらの凹所には、それぞれ複数のローラー８が列状に設けられている。また、渡り通路５の底面の略中央部の突出端部付近には、吊り下げローラー９がさらに設けられている。前記ローラー８によって前記目地部材６を支持すると共に、吊り下げローラー９も用いて目地部材６を吊り下げ支持する。
【００１５】
渡り通路５の底面には、下向き凹所状の水切り部１０が形成されており、渡り通路５の底面に付着した雨水を目地部材６内部空間へと誘導する。
前記他方の躯体４には、前記渡り通路５と対向する位置に上下の開口部１１がそれぞれ設けられており、これらの開口部１１の下方に前記目地部材６を前後方向にスライド移動可能に支持するためのガイドレール１２が上下に設けられている。
【００１６】
前記目地部材６は、図４及び図６に示すように目地プレート１３と、目地プレート１３の両側部に取り付けられ、一対の手摺５ａを入れ子状にカバーするカバー部材１４と、該カバー部材１４の下端部に設けられ、かつ、カバー部材１４内の雨水を排出する雨水排出部１５とで構成されている。
【００１７】
前記目地プレート１３は、本発明の実施形態においては、一端部が支持ローラー１６を介して前記渡り通路５の床面に左右方向にスライド移動可能に支持され、他端部がガイドローラー１７を介して前記ガイドレール１２に左右方向にスライド移動可能に支持された複数の力骨１８と、該力骨１８の上面に固定された目地プレート本体１９とで構成されている。このような目地プレート１３を用いる場合、目地プレート本体１９と渡り通路５の床面との間に大きな段差が形成されてしまうので、一端部が目地プレート本体１９の上面に支持されるとともに、他端部が渡り通路５の床面や他方の躯体４の床面に支持され、前記目地プレート１３がスライド移動する部位の渡り通路５の床面を覆うカバープレート２０を用いる。このカバープレート２０の他端部は他方の躯体４の床面や渡り通路５の床面と略平坦となるように設けるとよい。
【００１８】
本実施の形態においては、前記目地プレート１３がスライド移動する部位を凹所５ｂを形成し、この凹所５ｂをカバープレート２０で覆っているが、渡り通路５全体を目地プレート１３がスライド移動するように構成してもよい。
【００１９】
また、このようなカバープレート２０を用いる場合には、カバープレート２０が撓まないように、カバープレート荷重支持具２１を設けるとよい。カバープレート荷重支持具２１については、本願出願人が出願人となっている特開２００１−１９３１７６号等に開示されているため、その詳細な構造については割愛する。
【００２０】
カバー部材１４は、前記目地プレート１３の目地プレート本体１９の前後方向（平面視上下方向）の両側部にそれぞれ取り付けられ、手摺５ａ部分及び庇部７の上面までを覆う一対の手摺カバー部材２２と、該手摺カバー部材２２に固定され、庇部７の側面から渡り通路５の底部を覆う底部カバー２３と、該底部カバー２３の底面に固定され、カバー部材１４内の雨水を排出する受け皿状の雨水排出部１５が設けられている。
なお、本実施の形態においては、この手摺カバー２２には袖壁２２ａが形成されている。
【００２１】
手摺カバー部材２２と底部カバー２３は本実施の形態においては、別部材で構成し、溶接（図示せず）で結合させているが、ビス等で結合してもよく、またこれらの部品は一体に構成してもよい。これらを別部材で構成する場合、渡り通路５へ設置する際に作業が用意になるという効果がある。
【００２２】
前記底部カバー２３の上面の略中央部には、前記吊り下げローラー９に係合し、吊り下げローラー９に吊り下げ状態で支持されるローラー係合部２４が形成されている。
雨水排出部１５は、受け皿状の部材で、底部カバー２３の底面にビス等で固定されている。この雨水排出部１５は、他方の躯体４に向かって若干傾斜が設けられており、雨水排出部１５内の雨水は他方の躯体４側へ流れるようになっている。
【００２３】
該底部カバー２３の底面には雨水排出部１５に連通するような透孔２５が形成されており、カバー部材１４内の雨水等を雨水排出部１５に排出する。
【００２４】
また、雨水排出部１５の他方の躯体４側の側面には雨水排出口２６が形成され、この雨水排出口２６には雨樋２７が接続されており、カバー部材１４内の雨水等は雨樋２７を介して排水口（図示せず）等に排出される。
【００２５】
このようにカバー部材１４等の雨水を排出することにより、渡り通路５の真下の通路等に雨水が落下することを確実に防止することができる。
【００２６】
地震で躯体３、４が左右方向に揺れ動き目地部２が狭くなると、図７に示すように、目地部材６が渡り通路５上をスライド移動して、その揺れ動きを吸収する。
地震で躯体３、４が左右方向に揺れ動き目地部２が広くなると、図８に示すように、目地部材６が渡り通路５上をスライド移動して、その揺れ動きを吸収する。
【００２７】
地震で躯体３、４が異なる前後方向に揺れ動くと、図９に示すように、目地部材６は前記ガイドレール１２上を前後方向にスライド移動して、その揺れ動きを吸収する。この時、他方の躯体４の開口部１１は、手摺カバー２２の袖壁２２ａによってその一部が塞がれ、目地部に人等が落下することを防止している。
【００２８】
[発明を実施するための異なる形態]
次に、図１０乃至図１４に示す本発明を実施するための異なる形態につき説明する。なお、これらの本発明を実施するための異なる形態の説明に当って、前記本発明を実施するための第１の形態と同一構成部分には同一符号を付して重複する説明を省略する。
【００２９】
図１０乃至図１２に示す本発明を実施するための第２の形態において、前記本発明を実施するための第１の形態と主に異なる点は、一端部を傾斜面２８に形成した板状の目地プレート１３Ａ及び雨樋２７と連結せず、他方の躯体４側の側面に雨水排出口２６を備えた雨水排出部１５Ａを備えた目地部材６Ａとし、底面に水切り部を形成しない渡り通路５Ａを用いた点でこのような渡り通路用目地装置１Ａにしても前記本発明を実施するための第１の形態と同様な作用効果が得られる。
【００３０】
なお、雨水排出口２６を他方の躯体４の壁面側に設けることにより、他方の躯体４の壁面を伝って水が排出される又はガイドレール１２上を雨水が流れてガイドレールの両端部から排出されるため、渡り通路５Ａの下部の通路に雨水が落ちることを防止できる。
図１３及び図１４に示す本発明を実施するための第３の形態において、前記本発明を実施するための第１の形態と主に異なる点は、一方の躯体３に１つ渡り通路５を備え、この渡り通路５と他方の躯体４の間の目地部２を１つの目地部材６で塞いだ点で、このような渡り通路用目地装置１Ｂにしても前記本発明を実施するための第１の形態と同様な作用効果が得られる。
【００３１】
このように下階に渡り通路５を有しない渡り通路５、例えば渡り通路の真下が道路や地面等になっている場合に渡り通路用目地装置１Ｂを用いることで、渡り通路の直下を歩行する者等に雨が当たることを防止できる。
【００３２】
なお、本発明の実施形態においては目地部材の一端部側をローラーや吊り下げローラーで支持するものについて説明したが、これらのローラーは目地部材の左右方向へのスライド移動をスムーズにするために用いられているものであるので、これらを用いずに目地部材を設置してもよい。
【００３３】
また、底部カバーの底面に雨水排出部を固定した形態について説明したが、底部カバー自体を雨水排出部として用いてもよい。
さらに、本発明の実施の形態においては、設けていないが、一対の手摺の上部に支持ローラーを設け、手摺カバー部材を支持してもよい。このように構成することで、手摺カバー部材の左右方向へのスライド移動をスムーズにすることができる。
【産業上の利用可能性】
【００３４】
本発明は渡り通路用目地装置を製造する産業で利用される。
【符号の説明】
【００３５】
１、１Ａ、１Ｂ：渡り通路用目地装置、
２：目地部、                      ３：一方の躯体、
４：他方の躯体、                  ５、５Ａ：渡り通路、
６、６Ａ：目地部材、              ７：庇部、
８：ローラー、                    ９：吊り下げローラー、
１０：水切り部、                  １１：開口部、  
１２：ガイドレール、              １３、１３Ａ：目地プレート、
１４：カバー部材、                １５、１５Ａ：雨水排出部、
１６：支持ローラー、              １７：ガイドローラー、
１８：力骨、                      １９：目地プレート本体、
２０：カバープレート、            ２１：カバープレート荷重支持具、
２２：手摺カバー部材、            ２３：底部カバー、
２４：ローラー係合部、            ２５：透孔、
２６：雨水排出口、                ２７：雨樋、
２８：傾斜面。
【図１】
0006277219.tif 000002
【図２】
0006277219.tif 000003
【図３】
0006277219.tif 000004
【図４】
0006277219.tif 000005
【図５】
0006277219.tif 000006
【図６】
0006277219.tif 000007
【図７】
0006277219.tif 000008
【図８】
0006277219.tif 000009
【図９】
0006277219.tif 000010
【図１０】
0006277219.tif 000011
【図１１】
0006277219.tif 000012
【図１２】
0006277219.tif 000013
【図１３】
0006277219.tif 000014
【図１４】
0006277219.tif 000015